(57)【要約】  移動局装置と基地局装置とを備える移動通信システムであって、移動局装置は、周辺の基地局装置から送信される信号に基づいて受信品質を測定する受信品質測定部と、自移動局装置が希望するサービスと受信品質測定部が測定した受信品質とに基づいて、自移動局装置が通信する基地局装置を決定する決定部と、決定部が決定した基地局装置と通信する通信部とを備える。
2009133767.tif 000002
【特許請求の範囲】
【請求項１】
移動局装置と基地局装置とを備える移動通信システムであって、
前記移動局装置は、
周辺の基地局装置から送信される信号に基づいて受信品質を測定する受信品質測定部と、
自移動局装置が希望するサービスと前記受信品質測定部が測定した受信品質とに基づいて、自移動局装置が通信する基地局装置を決定する決定部と、
前記決定部が決定した基地局装置と通信する通信部と、
を備える移動通信システム。
【請求項２】
移動局装置と基地局装置とを備える移動通信システムであって、
基地局装置と通信を行なっている前記移動局装置は、
前記基地局装置の周辺の基地局装置から送信される信号と前記通信を行なっている基地局装置のサービス実施状況とに基づいて受信品質を測定する受信品質測定部と、
自移動局装置が希望するサービスの情報と前記受信品質測定部が測定した受信品質の情報とを前記基地局装置に送信する第１の送信部と、
前記基地局装置から送信される基地局装置の情報で特定される基地局装置と通信する通信部とを備え、
前記基地局装置は、
前記第１の送信部が送信したサービスの情報と受信品質の情報と自基地局装置のサービス実施状況とに基づいて、前記移動局装置が通信する基地局装置を決定する決定部と、
前記決定部が決定した基地局装置の情報を前記移動局装置に送信する第２の送信部と、
を備える移動通信システム。
【請求項３】
前記受信品質測定部は、前記第２の送信部が送信した基地局装置の情報と前記基地局装置のサービス実施状況とに基づいて受信品質の測定周期を変更する請求項２に記載の移動通信システム。
【請求項４】
前記基地局装置の情報は、サービス提供セルなし、受信品質満たさず、ハンドオーバー指示の何れかである請求項３に記載の移動通信システム。
【請求項５】
前記サービスは、マルチメディア  ブロードキャスト／マルチキャスト  サービスである請求項１又は２に記載の移動通信システム。
【請求項６】
マルチメディア  ブロードキャスト／マルチキャスト  サービスを提供する基地局装置は、同期チャネルを前記移動局装置に送信しない請求項１又は２に記載の移動通信システム。
【請求項７】
基地局装置と通信する移動局装置であって、
前記基地局装置から送信される信号と前記基地局装置のサービス実施状況とに基づいて受信品質を測定する受信品質測定部と、
自移動局装置が希望するサービスと前記受信品質測定部が測定した受信品質とに基づいて、自移動局装置が通信する基地局装置を決定する決定部と、
前記決定部が決定した基地局装置と通信する通信部と、
を備える移動局装置。
【請求項８】
移動局装置と通信する基地局装置であって、
前記移動局装置が希望するサービスの情報と前記移動局装置が測定する周辺の基地局装置から送信された信号の受信品質の情報とに基づいて、前記移動局装置が通信する基地局装置を決定する決定部と、
前記決定部が決定した基地局装置の情報を前記移動局装置に送信する第２の送信部と、
を備える基地局装置。
【請求項９】
移動局装置と基地局装置とを用いた移動通信方法であって、
前記移動局装置は、
周辺の基地局装置から送信される信号に基づいて受信品質を測定する受信品質測定過程と、
自移動局装置が希望するサービスと前記受信品質測定過程で測定した受信品質とに基づいて、自移動局装置が通信する基地局装置を決定する決定過程と、
前記決定過程で決定した基地局装置と通信する通信過程と、
を有する移動通信方法。
【請求項１０】
移動局装置と基地局装置とを用いた移動通信方法であって、
前記移動局装置は、
周辺の基地局装置から送信される信号に基づいて受信品質を測定する受信品質測定過程と、
自移動局装置が希望するサービスの情報と前記受信品質測定過程で測定した受信品質の情報とを前記基地局装置に送信する第１の送信過程と、
前記基地局装置から送信される基地局装置の情報で特定される基地局装置と通信する通信過程とを有し、
前記基地局装置は、
前記第１の送信過程で送信したサービスの情報と受信品質の情報とに基づいて、前記移動局装置が通信する基地局装置を決定する決定過程と、
前記決定過程で決定した基地局装置の情報を前記移動局装置に送信する第２の送信過程と、
を有する移動通信方法。
【発明の詳細な説明】
【技術分野】
【０００１】
本発明は、移動通信システム、移動局装置、基地局装置及び移動通信方法に関する。
本願は、２００８年４月２８日に、日本に出願された特願２００８−１１７７５８号に基づき優先権を主張し、その内容をここに援用する。
【背景技術】
【０００２】
現在、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）にて検討されている（非特許文献１）。
ＥＵＴＲＡは、第３世代の周波数帯に第４世代向けに検討されていた技術の一部を導入することによって、通信速度の高速化を目的としている。【０００３】
ＥＵＴＲＡでは、通信方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多重接続）方式を用いる。ＯＦＤＭＡは、マルチパス干渉に強く、高速伝送に適した通信方式である。
また、ＥＵＴＲＡに関するデータ転送制御やリソース管理制御といった上位レイヤの動作に関しては、低遅延、低オーバーヘッド化を実現し、更に可能な限り簡易な技術が用いられる。【０００４】
セルラ移動通信方式では、移動局装置が、セルまたはセクタ内において、事前に基地局装置と無線同期している必要がある。そのため、基地局装置は、所定の構成からなる同期チャネル（ＳＣＨ：Ｓｙｎｃｈｒｏｎｉｚａｔｉｏｎ  Ｃｈａｎｎｅｌ）を移動局装置に送信する。移動局装置は、基地局装置から送信された同期チャネルを検出することで、基地局装置と同期を取る。なお、セルまたはセクタとは、基地局装置の通信エリアである。【０００５】
ＥＵＴＲＡでは、同期チャネルとしてプライマリ同期チャネル（Ｐ−ＳＣＨ：Ｐｒｉｍａｒｙ  ＳＣＨ）と、セカンダリ同期チャネル（Ｓ−ＳＣＨ：Ｓｅｃｏｎｄａｒｙ  ＳＣＨ）とが用いられる。各セル（またはセクタ）は、プライマリ同期チャネルとセカンダリ同期チャネルの信号より決定されるセルＩＤによって移動局装置から識別される。
セルＩＤは、３種類のプライマリ同期チャネルと、１６８種類のセカンダリ同期チャネルの組み合わせによって決まる。その組み合わせの数は、５０４種類である（３×１６８＝５０４）。【０００６】
図１４は、ＥＵＴＲＡにおける移動局装置のセルサーチ手順を示すフローチャートである。移動局装置は、プライマリ同期チャネル（Ｐ−ＳＣＨ）のレプリカ信号と、受信信号とで相関を取るＰ−ＳＣＨ同定処理を行う（ステップＳ１ａ）。これにより、移動局装置は、スロットタイミングを取得する（ステップＳ１ｂ）。
そして、移動局装置は、セカンダリ同期チャネル（Ｓ−ＳＣＨ）のレプリカ信号と、受信信号とで相関を取るＳ−ＳＣＨ同定処理を行う（ステップＳ２ａ）。これにより、移動局装置は、得られたセカンダリ同期チャネルの送信パターンによってフレームタイミングを取得すると共に、基地局装置を識別するためのセルＩＤ（Ｉｄｅｎｔｉｆｉｃａｔｉｏｎ：識別情報）を取得する（ステップＳ２ｂ）。【０００７】
このような一連の制御、すなわち、移動局装置が基地局装置と無線同期を取り、更にその基地局装置のセルＩＤを取得するまでの処理をセルサーチ手順と称する。
ＥＵＴＲＡを含むセルラ移動通信方式では、移動局装置は、基地局装置の通信エリアであるセル（またはセクタ）内において基地局装置と通信を行う。移動局装置が、ある基地局装置と無線接続されているとき、その移動局装置が位置するセルのことを在圏セルと称する。【０００８】
一方、在圏セルの周辺に位置するセルのことを周辺セルと称する。なお、以下では、複数の基地局装置を説明する際に、それらの基地局装置のセルＩＤを用いて説明することがある。移動局装置は、在圏セルと周辺セルの受信品質を測定し、比較することで、良好な品質のセルを判定する。
このとき、在圏セルから通知される１つ又は複数の周辺セルに関する情報を、隣接セルリストと称する。ＥＵＴＲＡにおいては通常、周辺セルのセルＩＤやサービス内容など詳細な情報は、基地局装置から移動局装置に通知されない。【０００９】
具体的には、同一キャリア周波数のセルに関する情報は、基地局装置から移動局装置に送信せず、異なるキャリア周波数の周辺基地局装置がある場合は、そのキャリア周波数情報のみを送信する。
移動局装置が在圏セルから周辺セルへと移動し、無線接続するセルを変更することをハンドオーバーと称する。このとき、セル間の受信品質の高低を移動局装置が判定するために使用される信号を、下りリファレンス信号と称する。
下りリファレンス信号は、セルＩＤに対応した所定の信号系列である。すなわち、セルＩＤを同定することによって、同時に該当セルで送信される下りリファレンス信号を一意に特定することが可能である（非特許文献１）。【００１０】
図１５は、ＥＵＴＲＡにおける無線フレームの構成の一例を示す図である。図１５では、横軸に時間軸をとっており、縦軸に周波数軸をとっている。
無線フレームは、領域Ｚを一単位として構成されている（非特許文献１）。領域Ｚは、周波数軸方向の複数のサブキャリアの集合で構成される一定の周波数領域（ＢＲ）と、一定の送信時間間隔（スロット）で構成される。【００１１】
また、１スロットの整数倍から構成される送信時間間隔をサブフレームと称する。更に、複数のサブフレームをまとめたものをフレームとよぶ。図１５では、１サブフレームが、２スロットから構成される。
この一定の周波数領域（ＢＲ）と１スロット長で区切られた領域Ｚを、リソースブロックと称する。また、１フレームは１０サブフレームから構成される。図１５中のＢＷはシステム帯域幅を示しており、ＢＲはリソースブロックの帯域幅を示している。【００１２】
図１６は、ハンドオーバー手順の一例を示すシーケンス図である。図１６に示す処理は、移動局装置がハンドオーバー元セル（ソースセルとも称する）と通信を行っている状態から開始し、ハンドオーバー先セル（隣接セルとも称する）へハンドオーバーする制御を示している。
なお、ソースセルのセルＩＤは、ＣＩＤ＿Ａである。また、隣接セルのセルＩＤは、ＣＩＤ＿Ｂである。以降セルＩＤを用いて手順を説明する。【００１３】
ここで、移動局装置は、ソースセル（ＣＩＤ＿Ａ）と、隣接セル（ＣＩＤ＿Ｂ）の下りリファレンス信号をそれぞれ受信する（ステップＳ００１、Ｓ００２）。そして、移動局装置は、各々の下りリファレンス信号から得られる受信品質を測定する測定報告処理を行う（ステップＳ００３）。
移動局装置は、測定報告処理での測定結果を、測定報告メッセージとして、ソースセル（ＣＩＤ＿Ａ）へ通知する（ステップＳ００４）。
ソースセル（ＣＩＤ＿Ａ）は、測定報告メッセージの内容から、隣接セル（ＣＩＤ＿Ｂ）へのハンドオーバーが必要であると判定したとき、ソースセル（ＣＩＤ＿Ａ）から隣接セル（ＣＩＤ＿Ｂ）へハンドオーバー要求メッセージを送信する（ステップＳ００５）。これにより、ソースセル（ＣＩＤ＿Ａ）は、移動局装置のハンドオーバーの必要性を、隣接セル（ＣＩＤ＿Ｂ）に通知し、ハンドオーバーのための準備を要求する。【００１４】
ハンドオーバー要求メッセージを受信した隣接セル（ＣＩＤ＿Ｂ）は、ハンドオーバーが実行可能と判定した場合、ハンドオーバー要求許可メッセージを、ソースセル（ＣＩＤ＿Ａ）に通知する（ステップＳ００６）。
ハンドオーバー要求許可メッセージを受信したソースセル（ＣＩＤ＿Ａ）は、移動局装置に対し、ハンドオーバー指示メッセージ（ハンドオーバーコマンドとも称する）を送信する（ステップＳ００７）。【００１５】
移動局装置が、ハンドオーバー指示メッセージを受信することで、ハンドオーバー処理が開始される。なお、ハンドオーバー指示メッセージに、ハンドオーバー実行時刻の情報が含まれている場合には、移動局装置は、ハンドオーバー実行時刻になった時点で、ハンドオーバーを実行する。
ハンドオーバー指示メッセージとして、ハンドオーバーの即時実行が指定される場合もある。いずれの場合であっても、移動局装置は、ハンドオーバー実行時刻になった時点で、ハンドオーバー指示メッセージで指定された無線周波数や送受信回路の制御パラメータの切り替えを行う。そして、移動局装置は、隣接セル（ＣＩＤ＿Ｂ）との下り無線同期を確立するための下り同期確立処理を行い、ハンドオーバー処理を実行する（ステップＳ００８）。【００１６】
下り同期確立処理のための制御パラメータは、先のハンドオーバー指示メッセージに含まれていたり、事前にソースセル（ＣＩＤ＿Ａ）から移動局装置に報知または通知されたりする。
下り同期確立が完了した移動局装置は、隣接セル（ＣＩＤ＿Ｂ）との上り同期確立のために、ランダムアクセス送信を行う（ステップＳ００９）。この処理を、ハンドオーバーアクセスと称する場合もある。【００１７】
本来、ランダムアクセスには、衝突が発生しうる（コンテンションベース）のチャネルが用いられる。これに対して、衝突が発生しない（コンテンションフリー）ランダムアクセス送信を行うため、ハンドオーバー指示メッセージを用いてプリアンブル系列（Ｄｅｄｉｃａｔｅｄ  Ｐｒｅａｍｂｌｅ）を、事前に移動局装置毎に割り当てる方法が提案されている（非特許文献２）。
移動局装置は、ハンドオーバー指示メッセージで指定されたプリアンブル系列を用いて、ランダムアクセス送信を行う。プリアンブル系列を受信した隣接セル（ＣＩＤ＿Ｂ）の基地局装置は、移動局装置のハンドオーバーが完了したと判定する。そして、隣接セル（ＣＩＤ＿Ｂ）の基地局装置は、上り送信タイミング調整のための上り同期情報と、ハンドオーバー完了メッセージ（ハンドオーバーコンファームとも称する）とを送信するための上りリソース割当情報を、移動局装置に通知する（ステップＳ０１０）。【００１８】
移動局装置は、ステップＳ０１０で受信した情報を元に、上り送信タイミングを調整する。そして、移動局装置は、指定された上りリソースを用いてハンドオーバー完了メッセージを隣接セル（ＣＩＤ＿Ｂ）へ送信する（ステップＳ０１１）。これにより、移動局装置は、ソースセル（ＣＩＤ＿Ａ）から隣接セル（ＣＩＤ＿Ｂ）に対するハンドオーバーを完了する。
なお、上記ハンドオーバーは、在圏セルとの通信を移動局装置が行っている場合（アクティブ状態）に行われる。一方、在圏セルと移動局装置が通信を行っていない場合（アイドル状態）では、ハンドオーバーではなく、以下に示すセル再選択が行われる。【００１９】
移動局装置は、ソースセル（ＣＩＤ＿Ａ）の受信品質が、予め定められた閾値を下回るなどの条件を満たす場合に、周辺セルを検出する。そして、移動局装置は、周辺セルから送信される報知情報より、当該セルの情報を取得する。
移動局装置は、取得した情報をもとに、下りリファレンス信号の受信品質の測定を一定時間行う。その結果、移動局装置は、自局の接続が許可される最も受信品質の良いセルにて待ち受けを行う。【００２０】
なお、非特許文献１において、下りリファレンス信号のことを、下りリファレンスシグナル（Ｒｅｆｅｒｅｎｃｅ  ｓｉｇｎａｌ）や、下りリンク参照シグナル（ＤＬ−ＲＳ：Ｄｏｗｎｌｉｎｋ  Ｒｅｆｅｒｅｎｃｅ  ｓｉｇｎａｌ）と記載してあるが、意味は同じである。【００２１】
さらにＥＵＴＲＡでは、マルチメディア  ブロードキャスト／マルチキャスト  サービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）を、マルチキャストチャネルを利用して専用の周波数帯域で送信するセル（ＭＢＭＳ−ｄｅｄｉｃａｔｅｄ  ｃｅｌｌ、ｄＭＢＭＳセルとも称する）が検討されている。
ｄＭＢＭＳセルでは、複数の基地局装置からの遅延波も信号として受信できるようにサイクリックプレフィックス（ＣＰ：Ｃｙｃｌｉｃ  Ｐｒｅｆｉｘ）長を長くする方法が提案されている。この方法では、送信可能な情報量が少なくなってしまう分を、サブキャリア間隔を狭めることで補う。
その他のセルとしては、基地局装置とユーザ間で共用チャネルを用いた通信を行うミックスド（Ｍｉｘｅｄ）セルや、マルチキャストチャネルを用いた送信を行わないユニキャスト（Ｕｎｉｃａｓｔ）セルがある（非特許文献２）。
ミックスドセルでは、マルチキャストチャネル以外に、下りと上りの制御チャネル、ユーザデータや着呼信号を送る下りと上りの共用チャネルを用いて、各移動局装置との個別の通信を行う。すなわち、モバイル端末向け放送などのマルチキャストチャネルを用いたマルチキャストサービスの受信と、従来からの携帯電話としての機能である共用チャネルを用いた音声通話、データ通信などのサービスを受けることができる。
また、ユニキャストセルでは、マルチキャストチャネルが用いられない。そのため、モバイル端末向け放送などのサービスを受ける場合、移動局装置ごとに共用チャネルを用いた通信を行うことになる。そのため、受信を希望する移動局装置が多くなると無線リソースを大量に消費してしまう。【００２２】
ｄＭＢＭＳセルに対しても上記のように、同期チャネル（ＳＣＨ）を用いて同期をとり、ＭＢＭＳエリア情報を取得することが検討されている（非特許文献３）。
しかし、ｄＭＢＭＳセルでは、共用チャネルが用いられない。そのため、電話の待ち受けを行っているユーザ、あるいは通信を行っているユーザは、ｄＭＢＭＳセルからの信号を受信する合間に、ユニキャストセルあるいはミックスドセルとの通信を行う必要がある。【００２３】
すなわち、ｄＭＢＭＳセルに同期すると同時に、ユニキャストセルあるいはミックスドセルにも同期する必要がある。
また、ＭＢＭＳサービスを受けたい移動局装置がハンドオーバーを行う場合については、在圏セルの隣接セルリストにＭＢＭＳサービスの有無情報を付加する。そして、この情報を利用して移動局装置が、ＭＢＭＳサービスを行っていない在圏セルに同期している場合に、ＭＢＭＳサービスを行っている周辺セルへのハンドオーバーを促すために、前述の測定を行うための閾値や再選択判定のための受信品質にオフセットを付加することが提案されている（非特許文献４）。【００２４】
ＭＢＭＳサービスを受けたい移動局装置が、最適なセルへ同期する確率を高める方法として、非特許文献４に記載されている方法が知られている。しかし、この方法では、隣接セルリストを利用することになる。そのため、この方法は、隣接セルリストを用いない場合や、限られた情報（例えばキャリア周波数）のみ通知される場合には用いることができない。
また、ｄＭＢＭＳセルに、同期チャネル（ＳＣＨ）を設定することも検討されているが、以下の（１）〜（３）のような問題がある。【００２５】
（１）  前述のようなサブキャリア間隔を狭めたｄＭＢＭＳセルが存在する場合、複数種類の同期チャネルを受信する必要があり、移動局装置での処理負荷が高くなってしまう。
（２）  また、サブキャリア間隔を狭めたｄＭＢＭＳセルにおいて、同期チャネルのみ（あるいは同期に必要なチャネルも含めたもの）を、他のユニキャストセルで用いられるのと同様のサブキャリア間隔や系列を用いた場合、ユニキャストセルへ同期したい移動局装置も、ｄＭＢＭＳセルを検出してしまい、同期処理に遅延が生じてしまう。
（３）  さらに、上記（２）の場合、遅延波を考慮してサイクリックプレフィックス長を長くする必要がある状況で、同期チャネルのサイクリックプレフィックス長が、ユニキャストセルと同等の長さになってしまうことで、シンボル間干渉が生じてしまい、特性の劣化につながる恐れがある。
【先行技術文献】
【非特許文献】
【００２６】
【非特許文献１】３ＧＰＰ  ＴＳ（Ｔｅｃｈｎｉｃａｌ  Ｓｐｅｃｉｆｉｃａｔｉｏｎ）３６．２１１、Ｐｈｙｓｉｃａｌ  Ｃｈａｎｎｅｌｓ  ａｎｄ  Ｍｏｄｕｌａｌｔｉｏｎ．Ｖ８．０．０（ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ）
【非特許文献２】３ＧＰＰ  ＴＳ３６．３００  Ｖ８．０．０（２００７−３），Ｏｖｅｒａｌｌ  ｄｉｓｃｒｉｐｔｉｏｎ；Ｓｔａｇｅ２（ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ）
【非特許文献３】Ｎｏｋｉａ  Ｓｉｅｍｅｎｓ  Ｎｅｔｗｏｒｋｓ、Ｎｏｋｉａ、Ｈｕａｗｅｉ、  Ｅｒｉｃｓｓｏｎ，“Ｌ１  Ｓｕｐｐｏｒｔ  ｏｆ  Ｄｅｄｉｃａｔｅｄ  ＭＢＳＦＮ  Ｃａｒｒｉｅｒｓ”，Ｒ１−０８０３２６，３ＧＰＰ  ＴＳＧ−ＲＡＮ  ＷＧ１  Ｍｅｅｔｉｎｇ  ＃５１ｂｉｓ，Ｓｅｌｖｉｌｌａ，Ｓｐａｉｎ，１４−１８  Ｊａｎｕａｒｙ  ２００８
【非特許文献４】Ｐａｎａｓｏｎｉｃ，“Ｃｅｌｌ  ｄｅｔｅｃｔｉｏｎ  ａｎｄ  ｒｅｓｅｌｅｃｔｉｏｎ  ｉｎｆｏｒｍａｔｉｏｎ  ｆｏｒ  ＭＢＭＳ”，Ｒ２−０７４８５１，３ＧＰＰ  ＴＳＧ−ＲＡＮ  ＷＧ２  Ｍｅｅｔｉｎｇ  ＃５１ｂｉｓ，Ｊｅｊｕ，Ｋｏｒｅａ，５−９  Ｎｏｖｅｍｂｅｒ  ２００７
【発明の概要】
【発明が解決しようとする課題】
【００２７】
本発明は、上記事情に鑑みてなされたものであり、その目的は、移動局装置や無線リソースに大きな負荷をかけず、受信特性や周波数利用効率を高めることができる移動通信システム、移動局装置、基地局装置及び移動通信方法を提供することにある。
【課題を解決するための手段】
【００２８】
（１）  本発明は、上記課題を解決するためになされたもので、本発明の一態様による移動通信システムは、移動局装置と基地局装置とを備える移動通信システムであって、前記移動局装置は、周辺の基地局装置から送信される信号に基づいて受信品質を測定する受信品質測定部と、自移動局装置が希望するサービスと前記受信品質測定部が測定した受信品質とに基づいて、自移動局装置が通信する基地局装置を決定する決定部と、前記決定部が決定した基地局装置と通信する通信部とを備える。【００２９】
（２）  また、本発明の一態様による移動通信システムは、移動局装置と基地局装置とを備える移動通信システムであって、基地局装置と通信を行なっている前記移動局装置は、前記基地局装置の周辺の基地局装置から送信される信号と前記通信を行なっている基地局装置のサービス実施状況とに基づいて受信品質を測定する受信品質測定部と、自移動局装置が希望するサービスの情報と前記受信品質測定部が測定した受信品質の情報とを前記基地局装置に送信する第１の送信部と、前記基地局装置から送信される基地局装置の情報で特定される基地局装置と通信する通信部とを備え、前記基地局装置は、前記第１の送信部が送信したサービスの情報と受信品質の情報と自基地局装置のサービス実施状況とに基づいて、前記移動局装置が通信する基地局装置を決定する決定部と、前記決定部が決定した基地局装置の情報を前記移動局装置に送信する第２の送信部とを備える。【００３０】
（３）  また、本発明の一態様による移動通信システムの前記受信品質測定部は、前記第２の送信部が送信した基地局装置の情報と前記基地局装置のサービス実施状況とに基づいて受信品質の測定周期を変更する。【００３１】
（４）  また、本発明の一態様による移動通信システムの前記基地局装置の情報は、サービス提供セルなし、受信品質満たさず、ハンドオーバー指示の何れかである。【００３２】
（５）  また、本発明の一態様による移動通信システムの前記サービスは、マルチメディア  ブロードキャスト／マルチキャスト  サービスである。【００３３】
（６）  また、本発明の一態様による移動通信システムのマルチメディア  ブロードキャスト／マルチキャスト  サービスを提供する基地局装置は、同期チャネルを前記移動局装置に送信しない。【００３４】
（７）  また、本発明の一態様による移動局装置は、基地局装置と通信する移動局装置であって、前記基地局装置から送信される信号と前記基地局装置のサービス実施状況とに基づいて受信品質を測定する受信品質測定部と、自移動局装置が希望するサービスと前記受信品質測定部が測定した受信品質とに基づいて、自移動局装置が通信する基地局装置を決定する決定部と、前記決定部が決定した基地局装置と通信する通信部とを備える。【００３５】
（８）  また、本発明の一態様による基地局装置は、移動局装置と通信する基地局装置であって、前記移動局装置が希望するサービスの情報と前記移動局装置が測定する周辺の基地局装置から送信された信号の受信品質の情報とに基づいて、前記移動局装置が通信する基地局装置を決定する決定部と、前記決定部が決定した基地局装置の情報を前記移動局装置に送信する第２の送信部とを備える。【００３６】
（９）  また、本発明の一態様による移動通信方法は、移動局装置と基地局装置とを用いた移動通信方法であって、前記移動局装置は、周辺の基地局装置から送信される信号に基づいて受信品質を測定する受信品質測定過程と、自移動局装置が希望するサービスと前記受信品質測定過程で測定した受信品質とに基づいて、自移動局装置が通信する基地局装置を決定する決定過程と、前記決定過程で決定した基地局装置と通信する通信過程とを有する。【００３７】
（１０）  また、本発明の一態様による移動通信方法は、移動局装置と基地局装置とを用いた移動通信方法であって、前記移動局装置は、周辺の基地局装置から送信される信号に基づいて受信品質を測定する受信品質測定過程と、自移動局装置が希望するサービスの情報と前記受信品質測定過程で測定した受信品質の情報とを前記基地局装置に送信する第１の送信過程と、前記基地局装置から送信される基地局装置の情報で特定される基地局装置と通信する通信過程とを有し、前記基地局装置は、前記第１の送信過程で送信したサービスの情報と受信品質の情報とに基づいて、前記移動局装置が通信する基地局装置を決定する決定過程と、前記決定過程で決定した基地局装置の情報を前記移動局装置に送信する第２の送信過程とを有する。
【発明の効果】
【００３８】
本発明の移動通信システム、移動局装置、基地局装置及び移動通信方法では、移動局装置や無線リソースに大きな負荷をかけず、受信特性や周波数利用効率を高めることができる。
【図面の簡単な説明】
【００３９】
【図１】本発明の第１の実施形態による移動局装置１００の構成を示す概略ブロック図である。
【図２】本発明の第１の実施形態による移動局装置１００の下りリファレンス信号処理部１０７（図１）の構成を示す概略ブロック図である。
【図３】本発明の第１の実施形態による基地局装置２００の構成を示す概略ブロック図である。
【図４】本発明の第１の実施形態によるセル構成の一例を示す図である。
【図５】本発明の第１の実施形態による移動通信システムの処理を示すシーケンス図である。
【図６】本発明の第１の実施形態によるアイドル状態の移動局装置１００におけるセル再選択処理を示すフローチャートである。
【図７】本発明の第２の実施形態による移動通信システムの処理を示すシーケンス図である。
【図８】本発明の第２の実施形態によるアクティブ状態の移動局装置１００におけるハンドオーバー処理を示すフローチャートである。
【図９】本発明の第２の実施形態による基地局装置におけるハンドオーバー処理を示すフローチャートである。
【図１０】図９のステップＳ９０９のハンドオーバー処理を示すフローチャートである。
【図１１】図９のステップＳ９１０のハンドオーバー処理を示すフローチャートである。
【図１２】本発明の第２の実施形態による移動通信システムの処理の他の一例を示すシーケンス図である。
【図１３】本発明の第３の実施形態による移動通信システムの処理を示すシーケンス図である。
【図１４】ＥＵＴＲＡにおける移動局装置のセルサーチ手順を示すフローチャートである。
【図１５】ＥＵＴＲＡにおける無線フレームの構成の一例を示す図である。
【図１６】ハンドオーバー手順の一例を示すシーケンス図である。
【発明を実施するための形態】
【００４０】
以下、図面を参照し、本発明の各実施形態について説明する。
本発明の各実施形態に関わる物理チャネルには、物理報知チャネル、物理上り共用チャネル、物理下り共用チャネル、物理下り制御チャネル、物理上り制御チャネル、物理ランダムアクセスチャネル、同期チャネル（ＳＣＨ）、リファレンス信号、物理マルチキャストチャネル（ＰＭＣＨ：Ｐｈｙｓｉｃａｌ  Ｍｕｌｔｉｃａｓｔ  Ｃｈａｎｎｅｌ）がある。トランスポートチャネルとしては、報知チャネル、上り共用チャネル、下り共用チャネル、着呼信号を送るページングチャネル、マルチキャストチャネルがある。
また、論理チャネルとしては、上り共用チャネルに割り当てられる共通制御チャネル、個別制御チャネル、個別トラフィックチャネル、ページングチャネルに割り当てられるページング制御チャネル、報知チャネルと下り共用チャネルに割り当てられる報知制御チャネル、下り共用チャネルに割り当てられる共通制御チャネル、個別制御チャネル、個別トラフィックチャネル、下り共用チャネルとマルチキャストチャネルに割り当てられるマルチキャスト制御チャネル、マルチキャストトラフィックチャネルがある。
なお、物理マルチキャストチャネルは、トランスポートチャネルのマルチキャストチャネルと１対１に対応している。そのため、本発明の各実施形態では、単にマルチキャストチャネルとも称している。
【００４１】
本発明の各実施形態においては、論理チャネルにおける上りの個別トラフィックチャネル、下りの個別トラフィックチャネル、マルチキャストトラフィックチャネルのデータを、トラフィックデータとして分類する。
また、論理チャネルにおける下りの共通制御チャネル、共用制御チャネル、個別制御チャネル、マルチキャスト制御チャネル、上りの共通制御チャネル、共用制御チャネルの信号、上りリファレンス信号を、上位レイヤ制御信号として分類する。
また、物理チャネルにおける物理上り制御チャネル、物理下り制御チャネルの信号を、下位レイヤ制御信号として分類する。
また、論理チャネルにおける報知制御チャネルの信号を、報知情報として分類する。
また、同期チャネル（ＳＣＨ）と下りリファレンス信号を、無線信号として分類する。
【００４２】
同期チャネル（ＳＣＨ）に関しては、すでに説明したとおりである。
【００４３】
報知制御チャネルは、セル内の移動局装置で共通に用いられる制御パラメータを通知する目的で基地局装置から移動局装置に送信される。報知制御チャネルであるプライマリ報知チャネル（Ｐ−ＢＣＨ：Ｐｒｉｍａｒｙ  ＢＣＨ）の他に、ダイナミック報知チャネル（Ｄ−ＢＣＨ：Ｄｙｎａｍｉｃ  ＢＣＨ）が存在する。
プライマリ報知チャネルは、時間的・周波数的に所定の周期で送信することが予め決められている。例えば、プライマリ報知チャネルは、サブフレーム＃０の中心サブキャリアで送信される。移動局装置は、セルＩＤが同定されたセルについて、プライマリ報知チャネルを受信することが可能である。プライマリ報知チャネルは、トランスポートチャネルの報知チャネルに割り当てられる信号であって、上位レイヤ制御信号である。
一方、ダイナミック報知チャネルは、トランスポートチャネルの下り共用チャネルで送信されるトラフィックデータであり、セル毎に送信位置を可変にすることも可能である。
【００４４】
物理マルチキャストチャネルは、論理チャネルのマルチキャスト制御チャネルとマルチキャストトラフィックチャネルを送るための物理チャネルである。物理マルチキャストチャネルは、複数のセルから同一のＭＢＭＳ送信が行われることで、広範囲のエリアにサービスを行う。
また、広範囲のエリアをカバーするために、物理マルチキャストチャネル送信時は、他の物理チャネル送信時よりも長いガード区間を用いる。
【００４５】
下りリファレンス信号は、セル毎にほぼ一定の電力で送信されるパイロット信号である。また、下りリファレンス信号は、所定の時間間隔（例えば１フレーム）で周期的に繰り返される信号である。移動局装置は、所定の時間間隔において下りリファレンス信号を基地局装置から受信することによって、セル毎の受信品質の判定に用いる。
また、下りリファレンス信号は、下りリファレンス信号と同時に送信される物理下り共用チャネルおよび物理下り制御チャネルの復調のための参照用の信号として用いられる。
下りリファレンス信号に使用される系列は、セル毎に一意に識別可能な系列であれば、任意の系列を用いることができる。
【００４６】
次に、ｄＭＢＭＳセルへの同期について説明する。
前述のように、ｄＭＢＭＳセルから同期のための同期チャネルを送信することは、移動局装置の負荷増加や受信特性の劣化などの影響がある。
そのため以降の実施形態では、ｄＭＢＭＳセルから同期チャネルを送信することなく、ｄＭＢＭＳセルへの同期を行う方法を説明する。
【００４７】
ただし、ｄＭＢＭＳセルから同期チャネルのような同期処理に利用する信号を送信する場合であっても本発明の実施形態に適用することができる。
すなわち、ｄＭＢＭＳセルに同期した後の周波数オフセットの補償や、同期精度を高めるため、あるいはｄＭＢＭＳ受信専用端末向けに、既知の信号をｄＭＢＭＳセルから送信することもできる。
【００４８】
（第１の実施形態）
始めに、本発明の第１の実施形態について説明する。本実施形態はアイドル状態の移動局装置に関する。
【００４９】
図１は、本発明の第１の実施形態による移動局装置１００の構成を示す概略ブロック図である。移動局装置１００は、受信部１０１、復調部１０２、制御部１０３、制御信号処理部１０４、データ処理部１０５、報知情報処理部１０６、下りリファレンス信号処理部１０７、符号部１０８、変調部１０９、送信部１１０、上位レイヤ１１１、アンテナＡ１を備えている。
また、上位レイヤ１１１は、決定部１１２を備えている。
【００５０】
受信部１０１は、制御部１０３が出力する受信制御情報に基づいて設定される周波数の信号であって、基地局装置が送信した信号を、アンテナＡ１を介して、受信する。
受信部１０１は、アンテナＡ１が出力した信号に対して、ダウンコンバートなどの処理を行い、復調部１０２に出力する。
復調部１０２は、受信部１０１が出力する信号を、制御部１０３が出力する受信制御情報に基づいて復調する。そして、復調部１０２は、復調した信号を、物理下り共用チャネル、物理マルチキャストチャネル、物理下り制御チャネル、物理報知チャネル、下りリファレンス信号に分類する。
受信制御情報には、各チャネルに関する受信タイミング、多重方法、リソース配置情報や復調に関する情報が含まれている。
【００５１】
分類された各チャネルは、物理下り共有チャネルあるいはマルチキャストチャネルであればデータ処理部１０５へ出力され、物理下り制御チャネルであれば制御信号処理部１０４へ出力され、物理報知チャネルであれば報知情報処理部１０６へ出力され、下りリファレンス信号であれば下りリファレンス信号処理部１０７へ出力される。
なお、上述したチャネル以外のチャネルの場合、それぞれ他のチャネル処理部へと出力されるが、本実施形態の説明には影響しないため、その説明を省略する。
【００５２】
データ処理部１０５は、復調部１０２が出力する物理下り共用チャネルと物理マルチキャストチャネルから、トラフィックチャネルデータと上位レイヤ制御信号を取り出して上位レイヤ１１１へと出力する。
制御信号処理部１０４は、復調部１０２が出力する物理下り制御チャネルから、下位レイヤ制御信号を取り出して上位レイヤ１１１へと出力する。
報知情報処理部１０６は、復調部１０２が出力する物理報知チャネルから、報知情報（プライマリ報知チャネル情報）を取り出して上位レイヤ１１１へと出力する。
下りリファレンス信号処理部１０７は、復調部１０２が出力する下りリファレンス信号から、リファレンスデータを取り出して上位レイヤ１１１へと出力する。
上位レイヤ１１１から制御部１０３には制御情報が出力される。
【００５３】
一方、上位レイヤ１１１からは、トラフィックチャネルデータと共通・個別制御チャネルデータが符号部１０８に出力され、物理上り共有チャネル信号として符号化される。
また、上位レイヤ１１１からは、上りリファレンス信号と下位レイヤ制御信号が符号部１０８に出力され、物理制御チャネル信号として符号化される。
制御部１０３は、送信制御情報を、符号部１０８、変調部１０９、送信部１１０に出力する。
送信制御情報には、上りチャネルに関する送信タイミングや多重方法、各チャネルの送信データの配置情報、変調や送信電力に関する情報が含まれている。
【００５４】
送信制御情報に基づき符号部１０８にて符号化された各送信データは、変調部１０９に出力される。
変調部１０９は、制御部１０３から指示される情報に従って、送信データを適切な変調方式で変調し、送信部１１０に出力する。
変調部１０９で変調されたデータは、送信部１１０に出力され、適切に電力制御された後に、チャネル配置に基づきアンテナＡ１から基地局装置に送信される。
なお、その他の移動局装置１００の構成は本実施形態の説明に関係ないため、その説明を省略する。
また、移動局装置１００の受信部１０１〜送信部１１０の動作は、上位レイヤ１１１によって統括的に制御される。
【００５５】
図２は、本発明の第１の実施形態による移動局装置１００の下りリファレンス信号処理部１０７（図１）の構成を示す概略ブロック図である。下りリファレンス信号処理部１０７は、下りリファレンス信号抽出部１０７１、系列選択部１０７２、相関処理部１０７４、品質管理部１０７５を備えている。
【００５６】
系列選択部１０７２には、制御部１０３（図１）から受信制御情報が入力される。系列選択部１０７２に必要となる受信制御情報としては、例えば周波数帯域幅や受信時間情報、受信周波数情報、セルＩＤなどがある。受信時間情報には、フレーム情報、サブフレーム情報やスロット情報などがある。受信周波数情報には、受信リソースブロック番号やサブキャリア番号などがある。
【００５７】
系列選択部１０７２は、制御部１０３（図１）から入力された受信制御情報を基に、復調に用いる適切な下りリファレンス信号の系列を選択又は生成し、その信号を、選択信号として相関処理部１０７４に出力する。
下りリファレンス信号抽出部１０７１には、受信した下りリファレンス信号が入力される。下りリファレンス信号抽出部１０７１は、受信制御情報に従って、入力された下りリファレンス信号を信号の系列順に並び替え、抽出信号として相関処理部１０７４へ出力する。
【００５８】
相関処理部１０７４は、セルＩＤに基づく選択信号と抽出信号との相関処理を行い、品質管理部１０７５へ相関信号を出力する。
品質管理部１０７４は、相関信号を基に、セルＩＤ毎の受信品質を測定し、上位レイヤ１１１（図１）にリファレンスデータとして出力する。
ここで、受信品質とは、ＥＵＴＲＡ  Ｃａｒｒｉｅｒ  ＲＳＳＩ（Ｒｅｃｅｉｖｅｄ  Ｓｉｇｎａｌ  Ｓｔｒｅｎｇｔｈ  Ｉｎｄｉｃａｔｏｒ：搬送波受信信号強度指標）、ＲＳＲＰ（Ｒｅｆｅｒｅｎｃｅ  Ｓｉｇｎａｌ  Ｒｅｃｅｉｖｅｄ  Ｐｏｗｅｒ：リファレンス信号受信電力）、ＲＳＲＱ（Ｒｅｆｅｒｅｎｃｅ  Ｓｉｇｎａｌ  Ｒｅｃｅｉｖｅｄ  Ｑｕａｌｉｔｙ：リファレンス信号受信品質）、パスロスなどである。
【００５９】
また、品質管理部１０７５は、在圏セルにおける一つ以上のリソースブロック、または複数サブキャリア毎の品質情報指標（ＣＱＩ：Ｃｈａｎｎｅｌ  Ｑｕａｌｉｔｙ  Ｉｎｄｉｃａｔｏｒ）を測定し、上位レイヤ１１１（図１）にリファレンスデータとして出力する。 
なお、下りリファレンス信号処理部１０７の動作は、下りリファレンス信号を抽出し、抽出した信号から受信品質を示すリファレンスデータを出力可能な処理を実施できれば、図２で説明した処理方法以外の方法を用いても良い。
【００６０】
図３は、本発明の第１の実施形態による基地局装置２００の構成を示す概略ブロック図である。基地局装置２００は、受信部２０１、復調部２０２、制御部２０３、データ処理部２０４、制御信号処理部２０５、符号部２０６、変調部２０７、送信部２０９、上位レイヤ２１０、アンテナＡ２を備えている。
また、上位レイヤ２１０は、決定部２１１を備えている。
【００６１】
受信部２０１は、受信信号（移動局装置１００（図１）や他の基地局装置からの送信信号）を、アンテナＡ２を介して受信する。
制御部２０３は、データ受信制御に関連する受信制御情報を、受信部２０１、復調部２０２、データ処理部２０４、制御信号処理部２０５に出力する。
上位レイヤ２１０は、あらかじめ通信システムで定められたスケジュール情報に基づいた送信・受信の制御情報を、制御部２０３へ出力する。
【００６２】
受信信号は、受信部２０１から復調部２０２へと出力され、制御部２０３から指示される受信制御情報を基に、物理上り共有チャネル信号、物理制御チャネル信号に分けられ、それぞれ復調される。
なお、上述したチャネル以外のチャネルの場合、それぞれ他のチャネル処理部へと出力されるが、本実施形態の説明には影響しないため、その説明を省略する。
【００６３】
復調部２０２で復調された各データは、物理上り共有チャネル信号であればデータ処理部２０４へ出力され、物理上り制御チャネル信号であれば制御信号処理部２０５へと出力される。
データ処理部２０４は、復調部２０２が出力する物理上り共有チャネル信号から、上位レイヤ制御信号とトラフィックデータを取り出し、上位レイヤ２１０へ出力する。
制御信号処理部２０５は、復調部２０２が出力する物理上り制御チャネル信号から、下位レイヤ制御信号を取り出して、上位レイヤ２１０へと出力する。
なお、下位レイヤ制御信号、あるいは上位レイヤ制御信号には、移動局装置１００（図１）が測定した基地局装置２００の品質情報や、周辺セルのセルＩＤ情報などの基地局装置２００に関するデータ（周辺基地局装置データ）も含まれる。
ここで、基地局装置２００が上りリンクが存在しないｄＭＢＭＳセルであれば、制御データやトラフィックデータの取得過程で用いられるデータ処理部２０４や制御信号処理部２０５を、基地局装置２００に設けないようにしたり、動作を停止させたりしても良い。
【００６４】
上位レイヤ２１０は、上位レイヤ制御信号、トラフィックデータ、下位レイヤ制御信号、下りリファレンス信号を、符号部２０６に出力する。ユニキャストセルやミックスドセルであれば、上位レイヤ制御信号は、報知制御チャネル、下り共用制御チャネルを含む。
さらに基地局装置２００がミックスドセルあるいはｄＭＢＭＳセルであれば、上位レイヤ制御信号は、マルチキャスト制御チャネルを含む。
また、制御部２０３は、送信制御情報を、符号部２０６、変調部２０７、送信部２０９に出力する。符号部２０６にて符号化された信号は、変調部２０７に出力される。
【００６５】
変調部２０７は、制御部２０３からの送信制御情報に従って、各送信データを適切な変調方式で変調し、送信部２０９に出力する。
変調部２０７で変調されたデータは、送信部２０９に出力され、適切に電力制御された後にチャネル配置に基づき、送信制御情報で設定された周波数でアンテナＡ２から移動局装置１００（図１）に送信される。
なお、その他の基地局装置２００の構成は本実施形態の説明に関係ないため、その説明を省略する。また、基地局装置２００の受信部２０１〜送信部２０９の動作は、上位レイヤ２１０によって統括的に制御される。
【００６６】
図４は、本発明の第１の実施形態によるセル構成の一例を示す図である。移動局装置１００は、図４に示すようにソースセルＡ（セルＩＤ＝ＣＩＤ＿Ａ）に在圏している。４つの隣接セルＢ、Ｃ、Ｄ、Ｅ（セルＩＤ＝ＣＩＤ＿Ｂ、ＣＩＤ＿Ｃ、ＣＩＤ＿Ｄ、ＣＩＤ＿Ｅ）が、移動局装置１００が測定可能な同じエリアに存在している。
セルＡ、Ｂ、Ｃ、Ｄは同一キャリア周波数Ｆ１を用いるセルであり、セルＥのみ異なるキャリア周波数Ｆ２を用いるセルである。
【００６７】
また、セルＡ、Ｃはユニキャストセルであり、ＭＢＭＳサービスを提供していない。セルＢ、Ｄはミックスドセルである。セルＥはｄＭＢＭＳセルである。セルＥは、単一の基地局装置から信号を送信することにより構成しても良いし、複数の基地局装置から同一信号を送信することにより構成しても良い。
セルＥの一部と同じエリアにあるセルＤが、ｄＭＢＭＳセルであるセルＥに関する情報をセルＥから取得して報知する。
【００６８】
図５は、本発明の第１の実施形態による移動通信システムの処理を示すシーケンス図である。図５は、アイドル状態の移動局装置１００におけるセル再選択処理について示している。
移動局装置１００は、在圏セル並びに周辺セルの受信品質の測定を開始する前、あるいは測定中の状態である。セルＡからは、移動局装置１００に隣接セルリストは提供されていない。
ここでは、移動局装置１００が、ＭＢＭＳサービスを受けようとしている場合について説明する。
【００６９】
始めに、移動局装置１００は、セルＡから送信される報知情報を受信する（ステップＳ１０１）。これにより、移動局装置１００は、セルＡにてＭＢＭＳサービスが提供されていないという情報を取得する（ステップＳ１０８）。なおＭＢＭＳサービスの有無がダイナミック報知チャネルに含まれる場合、データ処理部１０５（図１）において物理下り共用チャネルを復調して取得する必要がある。
移動局装置１００は、セル再選択のための周辺セルの検出を、セルＡの信号品質に関わらず実施する。検出処理を行う周期は、短くするほど移動局装置１００の待ち受け時間が低下する。本実施形態においては、検出の試行回数、電池残量をもとに設定を行うことにより、適切な周期設定を行う。例えば、本実施形態では、検出の試行回数が多くなるほど、検出処理を行う周期を長くする。
【００７０】
移動局装置１００は、隣接セルであるセルＢ、セルＣ、セルＤからそれぞれ同期チャネル（ＳＣＨ）を受信する（ステップＳ１０２、Ｓ１０３、Ｓ１０４）。なお、隣接セルであるセルＥからは、移動局装置１００に対して同期チャネル（ＳＣＨ）は送信されない。
移動局装置１００は、検出されたセル（例えばセルＢとセルＣとセルＤ）の報知情報を取得する（ステップＳ１０５、Ｓ１０６、Ｓ１０７）。これにより、移動局装置１００は、ＭＢＭＳを行っているセル、あるいはｄＭＢＭＳセル情報をもつセルの有無を判定する。
該当するセルが見つからない場合は、移動局装置１００は、次の検出処理を行う周期までセルＡからの信号の待ち受けを行う。
【００７１】
該当するセル（ここではセルＢとセルＤ）を発見した場合は、移動局装置１００は、当該セルの下りリファレンス信号を受信する（ステップＳ１０９、Ｓ１１０）。そして、移動局装置１００は、受信品質比較処理を行う（ステップＳ１１１）。測定した受信品質が既定の閾値を上回る場合は、移動局装置１００は、当該セルを選択する。複数のセルが閾値を上回る場合は、移動局装置１００は、最も受信品質の良いセルを通常は選択する。
図５では、移動局装置１００は、最も受信品質の良いセルとしてセルＢを選択し、ソースセルをセルＡからセルＢに変更する（ステップＳ１１２、Ｓ１１３）。
【００７２】
移動局装置１００が選択したセル（ここでは、セルＢ）に対して、移動局装置１００は、ＭＢＭＳパラメータの要求を送信する（ステップＳ１１４）。
そして、セルＢの基地局装置から送信される、受信に必要なパラメータが含まれるサービス許可を、移動局装置１００が受信する（ステップＳ１１５）。
移動局装置１００は、ステップＳ１１５で受信したサービス許可の情報に基づいて、ＭＢＭＳ受信設定を行う（ステップＳ１１６）。
【００７３】
そして、移動局装置１００は、当該セル、あるいは当該セルと同エリアの異周波数のセル（選択したセルがセルＤであれば、異周波のセルはセルＥ）で移動局装置１００が希望するサービスが提供されている場合、ステップＳ１１７の処理を行う。つまり、当該セルとの認証・課金処理などのサービスを受けるために必要な処理を経て、ＭＢＭＳやユニキャストのデータの受信を開始する（ステップＳ１１７）。
なお、ＭＢＭＳ受信にユーザ別の認証などの必要がない場合、図５のＭＢＭＳパラメータ要求信号とサービス許可信号は不要である。
【００７４】
図６は、本発明の第１の実施形態によるアイドル状態の移動局装置１００におけるセル再選択処理を示すフローチャートである。
始めに、移動局装置１００は、自移動局装置１００が選択しているセルの下りリファレンス信号に基づいた受信品質が、既定の閾値以下であるかを判定する（ステップＳ７１０）。
閾値以下であれば（ステップＳ７１０で「Ｙｅｓ」）、移動局装置１００は、周辺セルの検出、報知情報の取得を行う（ステップＳ７１１）。次に検出されたセルの下りリファレンス信号に基づいて、移動局装置１００は、受信品質を測定し、最も受信品質の良いセルを選択する（ステップＳ７１２）。そして、移動局装置１００は、選択されたセルに対するセル選択を行う（ステップＳ７８）。
ステップＳ７１０において閾値より大きい場合（ステップＳ７１０で「Ｎｏ」）、移動局装置１００は、自移動局装置１００がＭＢＭＳ受信を希望しているか否かを判定する（ステップＳ７１）。希望していない場合（ステップＳ７１で「Ｎｏ」）、図６のフローチャートの処理を終了する。
移動局装置１００がＭＢＭＳ受信を希望する場合（ステップＳ７１で「Ｙｅｓ」）、ソースセルで、ＭＢＭＳ受信のサービスをサービス中か否かを判定する（ステップＳ７２）。ＭＢＭＳ受信のサービスをサービス中である場合（ステップＳ７２で「Ｙｅｓ」）、図６のフローチャートの処理を終了する。
【００７５】
ＭＢＭＳ受信のサービスをサービス中でない場合（ステップＳ７２で「Ｎｏ」）、移動局装置１００は、周辺セル測定周期か否か、つまり、周辺セルサーチを行うタイミングであるか否かを判定する（ステップＳ７３）。周辺セルサーチを行うタイミングでない場合（ステップＳ７３で「Ｎｏ」）、ステップＳ７１へ戻る。
周辺セルサーチのタイミングである場合（ステップＳ７３で「Ｙｅｓ」）、移動局装置１００は、周辺セルの検出、報知情報の取得を行う（ステップＳ７４）。
【００７６】
そして、移動局装置１００は、検出したセルの報知情報から、ＭＢＭＳを行うセルがあるかを判定する（ステップＳ７５）。ＭＢＭＳを行うセルがない場合（ステップＳ７５で「Ｎｏ」）、移動局装置１００は、周辺セルの測定周期を変更して（ステップＳ７９）、ステップＳ７１へ戻る。
ＭＢＭＳを行うセルがある場合（ステップＳ７５で「Ｙｅｓ」）、移動局装置１００は、当該セルの受信品質を測定する（ステップＳ７６）。そして、移動局装置１００は、受信品質が既定の品質を満たすか否かを判定する（ステップＳ７７）。
既定の品質を満たさない場合（ステップＳ７７で「Ｎｏ」）、移動局装置１００は、周辺セルの測定周期を変更して（ステップＳ７９）、ステップ７１へ戻る。
既定の品質を満たす場合（ステップＳ７７で「Ｙｅｓ」）、当該セルを選択し（ステップＳ７８）、ステップ７１へ戻る。
ここでステップＳ７９における測定周期の変更方法について述べる。
移動局装置１００は、電源投入時、あるいはセル再選択後の周期Ｔｓとして、初期周期として時間Ｔａを設定する。
ステップＳ７５の処理後にステップＳ７９の処理を行う場合、移動局装置１００は、既知の定数Ｔｂを加えＴｓ＋Ｔｂを新たなＴｓとして設定する。新たなＴｓが定数Ｔｃを超える場合、移動局装置１００は、Ｔｓとして、Ｔｃを設定する。すなわち周囲にサービスを行うセルが見つからない場合、既知の最大周期Ｔｃに至るまで最小周期のＴａからＴｂずつ周期を長くしていく。
また、ステップＳ７７の処理後にステップＳ７９の処理を行う場合、移動局装置１００は、Ｔｓとして、初期周期Ｔａを設定する。すなわち周囲にサービスを行うセルを検出した場合、移動局装置１００は、当該セルの測定を周期を短くする。これにより、セル再選択を行う遅延を小さくすることが可能となる。
【００７７】
本発明の第１の実施形態による移動通信システムは、移動局装置１００（図１）と基地局装置２００（図３）とを備えている。そして、移動局装置１００の下りリファレンス信号処理部１０７（受信品質測定部とも称する）は、ソースセルあるいは周辺セルの基地局装置から送信され、受信部１０１で受信されるリファレンス信号に基づいた受信品質を測定する（図５のステップＳ１０９、Ｓ１１０）。
また、移動局装置１００の上位レイヤ１１１に含まれる決定部１１２は、自移動局装置１００が希望するサービスであるＭＢＭＳ有無の情報と、下りリファレンス信号処理部１０７で測定したソースセルおよび周辺セルから送信されるリファレンス信号の受信品質とに基づいて、自移動局装置１００が通信する再選択先の基地局装置を決定する（図５のステップＳ１１１、図６のフローチャート）。
また、送信部１１０と受信部１０１（通信部とも称する）は、決定部１１２が決定した基地局装置を再選択し、その基地局装置と通信する。
【００７８】
従来では、移動局装置は、アイドル時におけるセル検出および再選択を、省電力化のために隣接セルリストがある状態でなければ行えなかった。本実施形態では、移動局装置１００は、ソースセルの受信品質が良い場合、セル検出および再選択を、ソースセルにおける希望するサービスの有無の情報による判定と、測定周期の条件に応じた変更を行う。これにより、従来のセル再選択の精度を低下させることなく、効率的に周辺セルの検出・測定を行うことができる。よって、移動局装置１００は、希望するサービスの提供を受けやすくなる。
【００７９】
（第２の実施形態）
次に、本発明の第２の実施形態について説明する。
本実施形態はアクティブ状態の移動局装置に関する。本発明の第２の実施形態の移動局装置と基地局装置は、本発明の第１の実施形態による移動局装置１００（図１）と基地局装置２００（図３）と同様の構成を用いることができるため、それらの詳細な説明を省略する。
また、本発明の第２の実施形態におけるセルの構成は、第１の実施形態の場合と同様（図４）であるため、その説明を省略する。
【００８０】
図７は、本発明の第２の実施形態による移動通信システムの処理を示すシーケンス図である。図７は、アクティブ状態の移動局装置１００におけるハンドオーバー処理について示している。
移動局装置１００は、在圏セル並びに周辺セルの受信品質の測定を開始する前、あるいは測定中の状態である。セルＡ（ＣＩＤ＿Ａ）からは、移動局装置１００に対して、隣接セルリストは提供されていない。
【００８１】
まず、移動局装置１００は、セルＡ（ＣＩＤ＿Ａ）から受信した報知情報に基づいて、セルＡ（ＣＩＤ＿Ａ）ではＭＢＭＳサービスが提供されているか否かについての情報を取得する（ステップＳ２０１）。ここでは、移動局装置１００は、セルＡ（ＣＩＤ＿Ａ）がＭＢＭＳサービスを提供していないと情報を取得した場合について説明する。
移動局装置１００は、周辺セルの検出を、セルＡ（ＣＩＤ＿Ａ）からの信号の受信品質に関わらず実施する。移動局装置１００は、検出されたセル（例えばセルＢとセルＣとセルＤ）の下りリファレンス信号を用いて（ステップＳ２０５、Ｓ２０６、Ｓ２０７）、各セルの受信品質測定を行う（ステップＳ２０８）。
なお、隣接セルであるセルＢ（ＣＩＤ＿Ｂ）、セルＣ（ＣＩＤ＿Ｃ）、セルＤ（ＣＩＤ＿Ｄ）は、それぞれ移動局装置１００に同期チャネル（ＳＣＨ）を送信する（ステップＳ２０２、Ｓ２０３、Ｓ２０４）。ただし、隣接セルであるセルＥ（ＣＩＤ＿Ｅ）は、移動局装置１００に同期チャネル（ＳＣＨ）を送信しない。
【００８２】
移動局装置１００は、セルＢ（ＣＩＤ＿Ｂ）、セルＣ（ＣＩＤ＿Ｃ）、セルＤ（ＣＩＤ＿Ｄ）について測定した受信品質情報を、ソースセルＡ（ＣＩＤ＿Ａ）に対して通知する（ステップＳ２１０）。この際に、移動局装置１００は、ＭＢＭＳ受信を希望する旨の信号もセルＡ（ＣＩＤ＿Ａ）に対して通知する（ステップＳ２０９）。
この希望する旨の信号は、測定結果の通知と同時に下位レイヤの制御信号として通知しても良いし、事前に上位（Ｌ２／Ｌ３）レイヤ制御信号として通知しても良いし、移動局装置１００の性能を示す情報（ＵＥ  Ｃａｐａｂｉｌｉｔｙ）の１パラメータとして初期接続時に通知しても良い。
【００８３】
通知されたソースセルＡ（ＣＩＤ＿Ａ）の基地局装置は、移動局装置１００からＭＢＭＳ受信希望信号と、周辺セル（セルＢ、セルＣ、セルＤ）の品質情報を受信する。移動局装置１００がＭＢＭＳ受信を希望している場合、セルＡ（ＣＩＤ＿Ａ）の基地局装置は、保持している周辺セルの情報から、ＭＢＭＳサービスを提供しているセル、あるいはｄＭＢＭＳセル情報を持つセルの有無を検索する（ステップＳ２１１）。そして、セルＡ（ＣＩＤ＿Ａ）の基地局装置は、該当するセルがない場合は、移動局装置１００に対して「該当セルなし」の情報を返信する（ステップＳ２１４）。
通知は上位レイヤ制御信号として送信すると良い。また、一定時間以内に移動局装置１００への返信がない場合を「該当セルなし」としても良い。
【００８４】
該当セルがないと通知された移動局装置１００、または明示された返信がないため該当セルなしと判定した移動局装置１００は、検出された周辺セルにサービスを行うセルがなかった場合のアイドル時の検出処理周期と同様に、測定周期を変更する（ステップＳ２１５）。そして、移動局装置１００は、セルの検出を行い、検出結果に更新があれば基地局装置へ再度通知する。
また、基地局装置にて該当するセルがあった場合であって、移動局装置１００から報告された当該セルの受信品質が既定の閾値を超える場合に、セルＡ（ＣＩＤ＿Ａ）の基地局装置は、当該セル内で最良の受信品質のセル（例えばセルＤ）へのハンドオーバーを要求する（ステップＳ２１２）。これに対して、隣接セルであるセルＤ（ＣＩＤ＿Ｄ）は、ソースセルであるセルＡ（ＣＩＤ＿Ａ）に対して、ハンドオーバー要求許可を通知する（ステップＳ２１３）。
【００８５】
そして、ソースセルであるセルＡ（ＣＩＤ＿Ａ）は、移動局装置１００に対してセルＤ（ＣＩＤ＿Ｄ）へのハンドオーバー指示を送信する（ステップＳ２１６）。
そして、移動局装置１００とセルＤ（ＣＩＤ＿Ｄ）との間でハンドオーバー処理を行う（ステップＳ２１７）。これにより、ソースセルがセルＡ（ＣＩＤ＿Ａ）からセルＤ（ＣＩＤ＿Ｄ）に変更される。なお、ハンドオーバー処理は従来と同様の処理であるため、ここでの説明は省略する。
ハンドオーバー先がセルＤ（ＣＩＤ＿Ｄ）である場合には、セルＤ（ＣＩＤ＿Ｄ）へのハンドオーバー後に、移動局装置１００から基地局装置にＭＢＭＳパラメータを要求する（ステップＳ２１８）。
【００８６】
一方、隣接セルであるセルＥ（ＣＩＤ＿Ｅ）からセルＤ（ＣＩＤ＿Ｄ）には、ＭＢＭＳ情報（セルＩＤ、キャリア周波数、帯域、同期に必要な情報など）が送信される（ステップＳ２２０）。
また、受信に必要なパラメータ（ＭＢＭＳ情報など）を含むサービス許可が、セルＤ（ＣＩＤ＿Ｄ）から移動局装置１００に送信される（ステップＳ２１９）。
移動局装置１００は、ステップＳ２１９で受信したサービス許可に含まれる情報に基づいて、ＭＢＭＳの受信設定を行う（ステップＳ２２１）。
【００８７】
移動局装置１００は、セルＤ（ＣＩＤ＿Ｄ）でユニキャスト通信を行いつつ（ステップＳ２２３）、認証・課金処理などのＭＢＭＳサービスを受けるために必要な処理を経て、セルＥ（ＣＩＤ＿Ｅ）からのＭＢＭＳ受信を開始する（ステップＳ２２２）。
なお、ＭＢＭＳ受信にユーザ別の認証などの必要がない場合、図７のＭＢＭＳパラメータ要求信号とサービス許可信号は不要である。
【００８８】
アクティブ状態における処理にて、ＭＢＭＳサービスを提供している場合、あるいはｄＭＢＭＳセル情報を持つセルが周辺に存在しているが、受信品質が既定の閾値を超えるセルがない場合も「該当セルなし」の情報を移動局装置１００に返信する。なお、該当しない理由を付加して通知することで、移動局装置１００における測定周期を適切に変更しても良い。すなわち、前述のアイドル時におけるステップＳ７９と同様に、以下の制御を行っても良い。
周期Ｔｓに初期周期として時間Ｔａを設定する。そして、「該当セルなし」かつ基地局装置が持つ隣接セルの情報にサービスを行うセルが含まれない場合は、既知の定数Ｔｂを加えＴｓ＋Ｔｂを新たなＴｓとして設定する。この際、新たなＴｓが定数Ｔｃを超える場合、Ｔｓとして、Ｔｃを設定する。
また、「該当セルなし」の場合であって、かつ基地局装置が持つ隣接セルの情報にサービスを行うセルが含まれるが移動局装置１００の受信状態が悪い場合は、Ｔｓとして、初期周期Ｔａを設定する。
【００８９】
また、受信品質を満たさない場合は、当該セルＩＤを移動局装置１００に通知し、当該セルの受信品質のみを測定して報告することにより、測定の効率化を図ることも可能である。
すなわち、セル全体、あるいは特定の移動局装置１００に対して、膨大な隣接セルリストを送信することなく、サービスを必要とする移動局装置１００に対して最良のセル候補を通知することにより、無線リソースの利用を効率化することができる。
【００９０】
図８は、本発明の第２の実施形態によるアクティブ状態の移動局装置１００におけるハンドオーバー処理を示すフローチャートである。
始めに、移動局装置１００は、自移動局装置１００がＭＢＭＳ受信を希望しているか否かを判定する（ステップＳ８１）。移動局装置１００がＭＢＭＳ受信を希望していない場合（ステップＳ８１で「Ｎｏ」）、移動局装置１００は、図８のフローチャートの処理を終了する。移動局装置１００がＭＢＭＳ受信を希望する場合（ステップＳ８１で「Ｙｅｓ」）、移動局装置１００は、ソースセルでＭＢＭＳサービスをサービス中か否かを判定する（ステップＳ８２）。
【００９１】
ソースセルでＭＢＭＳサービスをサービス中である場合（ステップＳ８２で「Ｙｅｓ」）、移動局装置１００は、図８のフローチャートの処理を終了する。ソースセルでＭＢＭＳサービスをサービス中でない場合（ステップＳ８２で「Ｎｏ」）、移動局装置１００は、周辺セル測定周期であるか否か、つまり、周辺セルサーチを行うタイミングであるか否かを判定する（ステップＳ８３）。
周辺セルサーチを行うタイミングでない場合（ステップＳ８３で「Ｎｏ」）、移動局装置１００は、ステップＳ８１へ戻る。周辺セルサーチを行うタイミングである場合（ステップＳ８３で「Ｙｅｓ」）、移動局装置１００は、周辺セルの検出と、受信品質の測定を行う（ステップＳ８４）。
【００９２】
次に、移動局装置１００は、ソースセルの基地局装置へ測定結果と、ＭＢＭＳサービス受信の要求信号を送信する（ステップＳ８５）。そして、移動局装置１００は、基地局装置からの返信が「該当するセルなし」であるか否かを判定する（ステップＳ８６）。
「該当セルなし」の場合（ステップＳ８６で「Ｙｅｓ」）、移動局装置１００は、周辺セルの測定周期を変更することにより、周辺セルの測定周期を設定し（ステップＳ８７）、ステップＳ８８の処理を行う。
【００９３】
「該当セルなし」ではない場合（ステップＳ８６で「Ｎｏ」）またはステップＳ８７処理後、移動局装置１００は、ハンドオーバー指示があるか否かを判定する（ステップＳ８８）。
ハンドオーバー指示がない場合（ステップＳ８８で「Ｎｏ」）、移動局装置１００は、ステップ８１へ戻る。
ハンドオーバー指示がある場合（ステップＳ８８で「Ｙｅｓ」）、移動局装置１００は、ハンドオーバー処理を実行して（ステップＳ８９）、ハンドオーバー後のセルに対してステップ８１の処理を行う。
ステップＳ８７における周期の変更の処理は、前述のようにステップＳ７９と同様の処理である。
【００９４】
図９は、本発明の第２の実施形態による基地局装置におけるハンドオーバー処理を示すフローチャートである。
始めに、基地局装置は、移動局装置１００から周辺セルの受信品質の報告およびＭＢＭＳ受信希望信号を受信する（ステップＳ９０１）。ＭＢＭＳ受信希望信号は事前に、移動局装置１００から基地局装置に通知するようにしても良い。
基地局装置は、移動局装置１００がＭＢＭＳのサービスを希望しているか否かを判定する（ステップＳ９０２）。移動局装置１００がＭＢＭＳのサービスを希望していない場合（ステップＳ９０２で「Ｎｏ」）、通常のハンドオーバー処理を行い（ステップＳ９１０）、図９のフローチャートの処理を終了する。
【００９５】
移動局装置１００がＭＢＭＳのサービスを希望している場合（ステップＳ９０２で「Ｙｅｓ」）、基地局装置は、自セルでＭＢＭＳのサービス中であるか否かを判定する（ステップＳ９０３）。基地局装置がＭＢＭＳのサービスを行っている場合（ステップＳ９０３で「Ｙｅｓ」）、基地局装置は、報告された周辺セルのうち、ＭＢＭＳのサービスを行っていないセルの受信品質から既知の値を減算する（ステップＳ９０６）。なお、基地局装置は、自セルも含めて、ＭＢＭＳのサービスを行っているセルの受信品質に既知の値を加算しても良い。
基地局装置は、ステップＳ９０６で演算を行った受信品質を用いて、ステップＳ９１０の後述する通常のハンドオーバー処理を行い、図９のフローチャートの処理を終了する。
【００９６】
基地局装置がＭＢＭＳのサービスを行っていない場合（ステップＳ９０３で「Ｎｏ」）、基地局装置は、報告された周辺セル内にＭＢＭＳのサービスを行うセルがあるか否かを判定する（ステップＳ９０４）。対応するセルがない場合（ステップＳ９０４で「Ｎｏ」）、基地局装置は、移動局装置１００に「該当セルなし」と通知する（ステップＳ９０５）。そして、基地局装置は、ステップＳ９１０の後述する通常のハンドオーバー処理へ移り、図９のフローチャートの処理を終了する。
【００９７】
ＭＢＭＳのサービスを提供するセルがある場合（ステップＳ９０４で「Ｙｅｓ」）、基地局装置は、該当するセルの受信品質が既定の閾値以上であるかを判定する（ステップＳ９０７）。閾値未満である場合（ステップＳ９０７で「Ｎｏ」）、基地局装置は、移動局装置１００に「受信品質満たさず」と通知し（ステップＳ９０８）、ステップＳ９１０のハンドオーバー処理へ移る。
閾値以上である場合（ステップＳ９０７で「Ｙｅｓ」）、基地局装置は、後述する該当するセルへのハンドオーバー処理を行い（ステップＳＳ９０９）、図９のフローチャートの処理を終了する。
【００９８】
図１０は、図９のステップＳ９０９のハンドオーバー処理を示すフローチャートである。
始めに、基地局装置は、ステップＳ９０４（図９）で選択された既知の閾値以上の品質のサービス対応セルを、品質の良い順に並び替えてリスト化する（ステップＳ１５０１）。
そして、基地局装置は、リストの先頭からセルを選択するために、インデックスＮを１に設定する（ステップＳ１５０２）。
そして、基地局装置は、リストのＮ番目のセルに対してハンドオーバー要求を行う（ステップＳ１５０３）。
そして、基地局装置は、既定時間以内にハンドオーバー要求許可が、Ｎ番目のセルから返信されたかを判定する（ステップＳ１５０４）。
ハンドオーバー要求許可が返答された場合（ステップＳ１５０４で「Ｙｅｓ」）、基地局装置は、Ｎ番目のセルへの同期に関する情報をハンドオーバー指示に含めて、移動局装置１００へ通知する（ステップＳ１５０５）。
ステップＳ１５０４で返信がなかった場合、基地局装置は、Ｎに１を加える（ステップＳ１５０６）。そして、基地局装置は、Ｎがリスト上のセル数を超えたかを判定する（ステップＳ１５０７）。Ｎがリスト上のセル数を超えている場合、基地局装置は、移動局装置１００へのハンドオーバー指示は行わず、図１０のフローチャートの処理を終了する（ステップＳ１５０７で「Ｙｅｓ」）。Ｎがリスト上のセル数を超えていない場合、基地局装置は、ステップＳ１５０３の処理へ戻る（ステップＳ１５０７で「Ｎｏ」）。
【００９９】
図１１は、図９のステップＳ９１０のハンドオーバー処理を示すフローチャートである。
始めに、基地局装置は、移動局装置１００から通知された自セルの受信品質が既知の閾値以下であるかを判定する（ステップＳ１６０１）。
自セルの受信品質が既知の閾値以下でない場合（ステップＳ１６０１で「Ｎｏ」）、基地局装置は、図１１のフローチャートの処理を終了する。自セルの受信品質が既知の閾値以下である場合（ステップＳ１６０１で「Ｙｅｓ」）、基地局装置は、移動局装置１００から報告されたセルを、品質の良い順に並び替えてリスト化する（ステップＳ１６０２）。
そして、基地局装置は、リストの先頭からセルを選択するために、インデックスＮを１に設定する（ステップＳ１６０３）。
そして、基地局装置は、リストのＮ番目のセルに対してハンドオーバー要求を行う（ステップＳ１６０４）。
そして、基地局装置は、既定時間以内にハンドオーバー要求許可が、前記Ｎ番目のセルから返信されたかを判定する（ステップＳ１６０５）。
ハンドオーバー要求許可が返答された場合（ステップＳ１６０５で「Ｙｅｓ」）、基地局装置は、Ｎ番目のセルへの同期に関する情報をハンドオーバー指示に含めて、移動局装置１００へ通知する（ステップＳ１６０６）。
ステップＳ１６０５で返信がなかった場合、基地局装置は、Ｎに１を加える（ステップＳ１６０７）。そして、基地局装置は、Ｎがリスト上のセル数を超えたかを判定する（ステップＳ１６０８）。Ｎがリスト上のセル数を超えている場合、基地局装置は、移動局装置１００へのハンドオーバー指示は行わず、図１１のフローチャートの処理を終了する（ステップＳ１６０８で「Ｙｅｓ」）。Ｎがリスト上のセル数を超えていない場合、基地局装置は、ステップＳ１６０４の処理へ戻る（ステップＳ１６０８で「Ｎｏ」）。
【０１００】
本実施形態では、移動局装置１００はソースセルの受信品質に影響されず、基地局装置からの返信に基づいて設定した効率的な測定周期で、周辺セルの測定、報告を行う。これにより、希望するサービスの提供を移動局装置１００が受けやすくすることが可能となる。また、基地局装置は移動局装置１００に対して、自局が持つサービス対応情報を付加した膨大な隣接セル情報を、有限の資源である無線リソースを用いて移動局装置１００へ通知することなく、希望サービスに基づいたハンドオーバー処理を行うことが可能となる。
【０１０１】
さらには、サービスが提供されない理由を、基地局装置から移動局装置１００に通知することにより、移動局装置１００においてさらに効率的な測定周期を設定する。これにより、過剰な周辺セルサーチを抑制することが可能となり、移動局装置１００の省電力化を図ることが可能となる。
【０１０２】
図１２は、本発明の第２の実施形態による移動通信システムの処理の他の一例を示すシーケンス図である。
始めに、ソースセルであるセルＡ（ＣＩＤ＿Ａ）は、自セルがＭＢＭＳを提供しているかの有無情報を含む報知情報を移動局装置１００に通知する（ステップＳ３０１）。また、移動局装置１００は、セルＡ（ＣＩＤ＿Ａ）の基地局装置、あるいはネットワークへの接続時に、自移動局装置１００の希望するサービス（ここではＭＢＭＳ）を、セルＡ（ＣＩＤ＿Ａ）に通知する（ステップＳ３０２）。通知する際には、各レイヤの制御信号、移動局装置１００の性能を示す情報などを用いることができる。
【０１０３】
次に、移動局装置１００は、セルＡ（ＣＩＤ＿Ａ）の受信品質が既定の閾値を下回る際に周辺セルサーチを開始する（ステップＳ３０３）。移動局装置１００は、既定の閾値を、セルＡの報知情報より取得したセルＡ（ＣＩＤ＿Ａ）でのＭＢＭＳ有無情報をもとに変更しても良い。
隣接セルであるセルＢ（ＣＩＤ＿Ｂ）、セルＣ（ＣＩＤ＿Ｃ）、セルＤ（ＣＩＤ＿Ｄ）は、移動局装置１００に対して、同期チャネル（ＳＣＨ）を送信する（ステップＳ３０４、Ｓ３０５、Ｓ３０６）。なお、隣接セルであるセルＥ（ＣＩＤ＿Ｅ）は、移動局装置１００に対して同期チャネル（ＳＣＨ）を送信しない。
【０１０４】
また、隣接セルであるセルＢ（ＣＩＤ＿Ｂ）、セルＣ（ＣＩＤ＿Ｃ）、セルＤ（ＣＩＤ＿Ｄ）は、移動局装置１００に対して下りリファレンス信号を送信する（ステップＳ３０７、Ｓ３０８、Ｓ３０９）。
移動局装置１００は、隣接セルから送信される下りリファレンス信号に基づいて、各セルの受信品質を測定する（ステップＳ３１０）。
移動局装置１００で測定された周辺セルの受信品質は、セルＡ（ＣＩＤ＿Ａ）の基地局装置に報告される（ステップＳ３１１）。
【０１０５】
セルＡ（ＣＩＤ＿Ａ）の基地局装置は、周辺セルのＭＢＭＳサービス有無を確認するとともに、周辺セルの受信品質を比較することにより、ハンドオーバー先のセルを決定する（ステップＳ３１２）。
例えば、セルＡ（ＣＩＤ＿Ａ）の基地局装置は、移動局装置１００から報告された周辺セルの受信品質の値に対して、移動局装置１００の希望するサービスを行っている周辺セルの値が良い受信品質となるように補正を行うことにより、ハンドオーバー先のセルを決定する。ここでは、ステップＳ３１２で、ハンドオーバー先のセルとしてセルＤ（ＣＩＤ＿Ｄ）を決定した場合について説明する。
【０１０６】
セルＡ（ＣＩＤ＿Ａ）の基地局装置は、ハンドオーバー要求をセルＤ（ＣＩＤ＿Ｄ）に送信する（ステップＳ３１３）。これに対して、セルＤ（ＣＩＤ＿Ｄ）の基地局装置は、ハンドオーバーの要求許可をセルＡ（ＣＩＤ＿Ａ）の基地局装置に対して返信する（ステップＳ３１４）。
そして、セルＡ（ＣＩＤ＿Ａ）の基地局装置は、移動局装置１００に対して、セルＤ（ＣＩＤ＿Ｄ）へのハンドオーバー指示を送信する（ステップＳ３１５）。
そして、移動局装置１００とセルＤ（ＣＩＤ＿Ｄ）の基地局装置との間で、ハンドオーバー処理を行う（ステップＳ３１６）。このハンドオーバーの処理は、従来と同様の処理であるため、その詳細な説明を省略する。
図１２の処理を行うことにより、隣接セルリストを必要とせず、移動局装置１００が希望するサービスの提供を受けやすくすることが可能となる。
【０１０７】
本発明の第２の実施形態による移動通信ステムは、移動局装置１００（図１）と基地局装置２００（図３）とを備えている。
移動局装置１００の下りリファレンス信号処理部１０７（受信品質測定部とも称する）は、ソースセルあるいは周辺セルの基地局装置から送信されるリファレンス信号に基づいて受信品質を測定する（図７のステップＳ２０８）。
また、移動局装置１００の送信部１１０（第１の送信部とも称する）は、自移動局装置１００が希望するサービスであるＭＢＭＳの情報と、下りリファレンス信号処理部１０７が測定した受信品質の情報とを基地局装置２００に送信する（図７のステップＳ２０９、Ｓ２１０）。
また、移動局装置１００の送信部１１０と受信部１０１（通信部とも称する）は、基地局装置２００から送信される基地局装置の情報で特定される基地局装置にハンドオーバーを行い、その基地局装置と通信する（図７のステップ２１７）。
また、基地局装置２００の上位レイヤ２１０に含まれる決定部２１１は、移動局装置１００の送信部１１０が、上位レイヤ制御信号として送信したサービスの情報（ここでは、移動局装置１００が希望するサービスがＭＢＭＳであるという情報）と、移動局装置１００の下りリファレンス信号処理部１０７で測定した周辺の基地局装置から送信されるリファレンス信号の受信品質の情報とに基づいて、移動局装置１００が通信するハンドオーバー先の基地局装置を決定する（図７のステップＳ２１１、図９のフローチャート）。
また、基地局装置２００の送信部２０９（第２の送信部とも称する）は、決定部２１１が決定した基地局装置の情報を上位レイヤ制御信号として、移動局装置１００に送信する（図７のステップＳ２１６）。
【０１０８】
（第３の実施形態）
次に、本発明の第３の実施形態について説明する。第２の実施形態では、移動局装置１００が受信品質測定を行った周辺セルに対して、基地局装置でＭＢＭＳのサービスの提供の有無を判定後、ハンドオーバー処理を行う場合について説明した。
第３の実施形態では、基地局装置から測定を行う周辺セルのセルＩＤを、事前に移動局装置１００に対して通知する。そして、移動局装置１００は、基地局装置から通知された周辺セルの受信品質のみを測定し報告する。
【０１０９】
なお、本実施形態で用いる移動局装置や基地局装置としては、第１の実施形態で説明した移動局装置１００（図１）や基地局装置２００（図３）を用いることが可能であるため、それらの詳細な説明は省略する。
また、本実施形態で用いるセルの構成も、第１の実施形態（図４）で示したものと同様であるため、その説明を省略する。
【０１１０】
図１３は、本発明の第３の実施形態による移動通信システムの処理を示すシーケンス図である。図１３は、アクティブ状態の移動局装置１００におけるハンドオーバー処理を示している。移動局装置１００は、在圏セル並びに周辺セルの受信品質の測定を開始する前、あるいは測定中の状態である。セルＡ（ＣＩＤ＿Ａ）からは隣接セルリストは提供されていない。
【０１１１】
始めに、移動局装置１００は、セルＡ（ＣＩＤ＿Ａ）の基地局装置からＭＢＭＳ有無の情報を含む報知情報を受信する（ステップＳ４０１）。ここでは、移動局装置１００は、セルＡ（ＣＩＤ＿Ａ）からの報知情報によって、セルＡ（ＣＩＤ＿Ａ）にてＭＢＭＳサービスが提供されていないという情報を受信する場合について説明する。
移動局装置１００は、ＭＢＭＳ受信を希望する旨の信号をセルＡ（ＣＩＤ＿Ａ）に対して通知する（ステップＳ４０２）。この希望する旨の信号は、測定結果の通知と同時に下位レイヤの制御信号として通知しても良いし、事前に上位（Ｌ２／Ｌ３）レイヤの制御信号として通知しても良いし、移動局装置１００の性能情報の１パラメータとして初期接続時に通知されても良い。
【０１１２】
ソースセルＡ（ＣＩＤ＿Ａ）の基地局装置は、移動局装置１００からＭＢＭＳ受信希望信号を受信する。移動局装置１００が、ＭＢＭＳ受信を希望している場合、セルＡ（ＣＩＤ＿Ａ）の基地局装置は、自局が保持している周辺セルの情報からＭＢＭＳサービスを提供している、あるいはｄＭＢＭＳセル情報を持つセルの有無を検索する（ステップＳ４０３）。そして、セルＡ（ＣＩＤ＿Ａ）は、該当するセルがない場合は、移動局装置１００に対して「該当セルなし」の情報を返信する。通知は、上位レイヤ制御信号として送信されるのが望ましい。あるいは一定時間以内に移動局装置１００への返信がない場合を「該当セルなし」としても良い。
【０１１３】
該当セルがないと通知された移動局装置１００は、第２の実施形態の検出処理周期と同様に測定周期を変更し、セルの検出を行い、検出結果に更新があれば基地局装置へ再度通知する。該当するセルがある場合、セルＡ（ＣＩＤ＿Ａ）は、該当するセルのＩＤ情報などを測定対象周辺セル情報として、移動局装置１００に対して下位レイヤ、あるいは上位レイヤ制御信号として通知する（ステップＳ４０４）。
測定対象周辺セル情報（例えばセルＢとセルＤ）を受信した移動局装置１００は、ステップＳ４０５、Ｓ４０６で送信される同期チャネル（ＳＣＨ）、あるいは、ステップＳ４０７、Ｓ４０８で送信される下りリファレンス信号を用いて、セルＢ（ＣＩＤ＿Ｂ）とセルＤ（ＣＩＤ＿Ｄ）の検出を行う。
【０１１４】
移動局装置１００は、検出されたセル（例えばセルＤ）の下りリファレンス信号を用いて、各セルの受信品質測定を行う（ステップＳ４０９）。移動局装置１００は、測定した品質情報をソースセルＡ（ＣＩＤ＿Ａ）に対して通知する（ステップＳ４１０）。セルＡ（ＣＩＤ＿Ａ）の基地局装置は、周辺セルの受信品質を比較する（ステップＳ４１１）。そして、セルＡ（ＣＩＤ＿Ａ）の基地局装置は、移動局装置１００から報告されたセルの受信品質が、既定の閾値以上であれば、移動局装置１００に対して当該セル内で最良の受信品質のセル（ここではセルＤ）へのハンドオーバーを指示する（ステップＳ４１４）。
また、ソースセルであるセルＡ（ＣＩＤ＿Ａ）の基地局装置は、セルＤ（ＣＩＤ＿Ｄ）に対してハンドオーバー要求を送信する（ステップＳ４１２）。これに対して、セルＤ（ＣＩＤ＿Ｄ）の基地局装置は、セルＡ（ＣＩＤ＿Ａ）の基地局装置に対して、ハンドオーバー要求許可を返信する（ステップＳ４１３）。
【０１１５】
そして、移動局装置１００は、セルＤ（ＣＩＤ＿Ｄ）との間で、ハンドオーバー処理を行う（ステップＳ４１５）。このハンドオーバー処理は、従来と同様の処理であるため、ここでの説明は省略する。
なお、ＭＢＭＳ受信にユーザ別の認証などの必要がない場合、図１３のＭＢＭＳパラメータ要求信号とサービス許可信号は不要である。
なお、受信品質が閾値を超えるセルがない場合、第２の実施形態と同様、「該当セルなし」、あるいは「受信品質満たさず」等の情報を移動局装置に返信する。
また、本実施形態の移動局装置１００内においてステップＳ４１０で報告するセルリストにおいて、あらかじめ既知の閾値を超える品質のセルのみを報告するようにしても良い。これにより、基地局装置における移動局装置１００から報告されたセルの受信品質と既定の閾値との比較処理を省略することが可能となる。
【０１１６】
本発明の第３の実施形態による移動通信ステムは、移動局装置１００（図１）と基地局装置２００（図３）とを備えている。
移動局装置１００の下りリファレンス信号処理部１０７（受信品質測定部とも称する）は、ソースセルあるいは周辺セルの基地局装置から送信されるリファレンス信号に基づいて受信品質を測定する（図１３のステップＳ４０９）。
また、移動局装置１００の送信部１１０（第１の送信部とも称する）は、自移動局装置１００が希望するサービスであるＭＢＭＳの情報と、下りリファレンス信号処理部１０７が測定した受信品質の情報とを、基地局装置２００に送信する（図１３のステップＳ４０２、Ｓ４１０）。
また、移動局装置１００の送信部１１０と受信部１０１（通信部とも称する）は、基地局装置２００から送信される基地局装置の情報で特定される基地局装置にハンドオーバーを行い、その基地局装置と通信する（図１３のステップ４１５）。
また、基地局装置２００の上位レイヤ２１０に含まれる決定部２１１は、移動局装置１００の送信部１１０が上位レイヤ制御信号として送信したサービスの情報（ここでは、移動局装置１００が希望するサービスがＭＢＭＳであるという情報）と、移動局装置１００の下りリファレンス信号処理部１０７で測定した周辺の基地局装置から送信されるリファレンス信号の受信品質の情報とに基づいて、移動局装置１００が通信するハンドオーバー先の基地局装置を決定する（図１３のステップＳ４０３、Ｓ４１１）。
また、基地局装置２００の送信部２０９（第２の送信部とも称する）は、決定部２１１が決定した基地局装置の情報を、上位レイヤ制御信号として移動局装置１００に送信する（図１３のステップＳ４１４）。
【０１１７】
本実施形態では、移動局装置１００は、ソースセルの受信品質に影響されず、基地局装置からの返信に基づいて設定した効率的な測定周期で、周辺セルの測定、報告を行う。これにより、希望するサービスの提供を移動局装置１００が受けやすくすることが可能となる。また、基地局装置は、移動局装置１００に対して、自局が持つサービス対応情報を付加した膨大な隣接セル情報のうち、移動局装置１００ごとのサービス希望に基づいたセル情報のみを選択して移動局装置１００へ通知する。これにより、無線リソースを有効に利用しつつ、希望サービスに基づいたハンドオーバー処理を行うことが可能となる。
【０１１８】
なお、以上説明した実施形態において、移動局装置および基地局装置の各部の機能又はこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行っても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良く、さらに前述した機能をコンピュータシステムにすでに記録されているプログラムとの組み合わせで実現できるものであっても良い。
【０１１９】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１２０】
本発明は、移動局装置や無線リソースに大きな負荷をかけず、受信特性や周波数利用効率を高めることができる移動通信システム、移動局装置、基地局装置及び移動通信方法などに適用できる。
【符号の説明】
【０１２１】
１００・・・移動局装置、１０１・・・受信部、１０２・・・復調部、１０３・・・制御部、１０４・・・制御信号処理部、１０５・・・データ処理部、１０６・・・報知情報処理部、１０７・・・下りリファレンス信号処理部、１０８・・・符号部、１０９・・・変調部、１１０・・・送信部、１１１・・・上位レイヤ、２００・・・基地局装置、２０１・・・受信部、２０２・・・復調部、２０３・・・制御部、２０４・・・データ処理部、２０５・・・制御信号処理部、２０６・・・符号部、２０７・・・変調部、２０９・・・送信部、２１０・・・上位レイヤ、Ａ１、Ａ２・・・アンテナ
【図１】
2009133767.tif 000003
【図２】
2009133767.tif 000004
【図３】
2009133767.tif 000005
【図４】
2009133767.tif 000006
【図５】
2009133767.tif 000007
【図６】
2009133767.tif 000008
【図７】
2009133767.tif 000009
【図８】
2009133767.tif 000010
【図９】
2009133767.tif 000011
【図１０】
2009133767.tif 000012
【図１１】
2009133767.tif 000013
【図１２】
2009133767.tif 000014
【図１３】
2009133767.tif 000015
【図１４】
2009133767.tif 000016
【図１５】
2009133767.tif 000017
【図１６】
2009133767.tif 000018
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
移動局装置と基地局装置とを備える移動通信システムであって、
前記移動局装置は、前記基地局装置に対して、希望するサービス情報を通知し、
前記基地局装置は、通知された前記希望するサービス情報に基づいて、前記基地局装置が保持する周辺セル情報から前記サービスを提供するセルを選択し、測定対象周辺セル情報として前記サービスを希望する前記移動局装置へ通知することを特徴とする移動通信システム。
【請求項２】
移動局装置と基地局装置とを備える移動通信システムであって、
前記移動局装置は、前記基地局装置に対して、希望するサービス情報と、測定した周辺セルの受信品質情報とを通知し、
前記基地局装置は、通知された前記希望するサービス情報に基づいて、前記周辺セルからハンドオーバ先を選択し、移動局装置へハンドオーバ指示を行うことを特徴とする移動通信システム。
【請求項３】
前記サービスは、マルチメディア  ブロードキャスト／マルチキャスト  サービスであることを特徴とする請求項１又は２に記載の移動通信システム。
【請求項４】
マルチメディア  ブロードキャスト／マルチキャスト  サービスを提供する基地局装置は、同期チャネルを前記移動局装置に送信しないことを特徴とする請求項１又は２に記載の移動通信システム。
【請求項５】
基地局装置と通信する移動局装置であって、
希望するサービス情報と、測定した周辺セルの受信品質情報とを前記基地局装置へ通知することを特徴とする移動局装置。
【請求項６】
移動局装置と通信する基地局装置であって、
前記移動局装置から希望するサービス情報を受信し、
前記希望するサービス情報に基づいて、前記基地局装置が保持する周辺セル情報から前記サービスを提供するセルを選択し、
測定対象周辺セル情報として前記サービスを希望する前記移動局装置へ通知することを特徴とする基地局装置。
【請求項７】
移動局装置と基地局装置とを用いた移動通信方法であって、
前記移動局装置が、前記基地局装置に対して、希望するサービス情報を通知する過程と、
前記基地局装置が、通知された前記希望するサービス情報に基づいて、前記基地局装置が保持する周辺セル情報から前記サービスを提供するセルを選択し、測定対象周辺セル情報として前記サービスを希望する前記移動局装置へ通知する過程と、
を有することを特徴とする移動通信方法。
【請求項８】
移動局装置と基地局装置とを用いた移動通信方法であって、
前記移動局装置が、前記基地局装置に対して、希望するサービス情報と、測定した周辺セルの受信品質情報とを通知する過程と、
前記基地局装置が、通知された前記希望するサービス情報に基づいて、前記周辺セルからハンドオーバ先を選択し、移動局装置へハンドオーバ指示を行う過程と、
を有することを特徴とする移動通信方法。
【国際調査報告】
2009133767.tif 000019
2009133767.tif 000020
2009133767.tif 000021